(57)【要約】【課題】８ｍｍフィルムビデオ変換装置において、８ｍｍフィルムの撮影時と再生時との時系列変化をなくし、また、小型・簡単で且つ安価にすることにある。【解決手段】光源からの光により再生された８ｍｍフィルムの画像を映像データ化する撮像ユニットを設け、この撮像ユニットからの映像データを少なくとも２つのバッファへ交互に蓄えるバッファ部を設け、このバッファ部からの映像データをビデオ信号に変換する変換部を設け、この変換部で映像データをビデオ信号に変換する際に１秒間当たりの８ｍｍフィルムの再生コマ数とビデオ信号のフレーム数との差を自動的に補間するように変換部を制御する制御部を設けている。【選択図】図１
2005252418.tif 000002
【特許請求の範囲】
【請求項１】
光源からの光により再生された８ｍｍフィルムの画像を映像データ化する撮像ユニットを設け、この撮像ユニットからの映像データを少なくとも２つのバッファへ交互に蓄えるバッファ部を設け、このバッファ部からの映像データをビデオ信号に変換する変換部を設け、この変換部で前記映像データをビデオ信号に変換する際に１秒間当たりの前記８ｍｍフィルムの再生コマ数とビデオ信号のフレーム数との差を自動的に補間するように前記変換部を制御する制御部を設けたことを特徴とする８ｍｍフィルムビデオ変換装置。
【発明の詳細な説明】
【技術分野】
【０００１】
この発明は、８ｍｍフィルムビデオ変換装置に係り、特に８ｍｍフィルムの再生コマ数とビデオ信号のフレーム数との差を自動的に補間し、８ｍｍフィルムの画像を、ビデオ信号に変換して、テレビジョンの画面で観賞させたり、ビデオテープに録画させたり、コンピュータに取り込ませることを可能とする８ｍｍフィルムビデオ変換装置に関するものである。
【背景技術】
【０００２】
８ｍｍカメラで撮影された映像には、自然に動いて見えるように人間の視覚を利用して、単位時間内に複数のコマを使い、少しずつ異なった映像を光学的に８ｍｍフィルムに焼き付ける方法が採られている。この場合、一般的に、８ｍｍカメラでの撮影速度には、１秒間当たり、１６コマ、１８コマ、２４コマの３種類が採用されている。このため、８ｍｍ映写機は、異なるコマ数で撮影された８ｍｍフィルムの映写が可能なように、コマ送り速度が、切り換え可能だったり、連続的に可変できるような方式のものである。
【０００３】
一方、主なテレビジョンの信号の規格には、ＮＴＳＣ、ＰＡＬ、ＳＥＣＡＭの３種類があり、それぞれに異なった信号方式が採られている。日本国内及び北米等では、１秒間当たり、３０フレームのＮＴＳＣ方式が採用されている。ヨーロッパや東南アジア等では、１秒間当たり、２５フレームのＰＡＬ、ＳＥＣＡＭ方式が採用されている。また、最近では、地上波デジタル放送の規格も加わっている。
【０００４】
上述したように、８ｍｍフィルムのコマ数とテレビジョンのフレーム数とが異なるために、８ｍｍフィルムの画像をビデオ信号に変換するには、８ｍｍフィルムの映写速度を変化させるか、あるいは、ビデオ信号化した後に、テレビジョンのフレームの補間を行う必要がある。
【０００５】
従来、映画のフィルムをテレビジョンで放送する場合に、フレーム速度の違いから生ずる影響を補償することにより、入ってくるデータの形式に対してテレビジョンのデータ処理を最適化するものがある。
【特許文献１】特開平７−２２２１２１号公報
【発明の開示】
【発明が解決しようとする課題】
【０００６】
ところで、従来、８ｍｍフィルムビデオ変換装置にあっては、簡易な変換方法として、８ｍｍフィルムの映写速度をビデオ信号に合わせて変化させ、電子シャッタ付きのビデオカメラでフリッカー（画面のチラつき）を抑えて撮影する方法があるが、この方法では、撮影時と全く同じ時系列変化での再生ができないという不都合がある。
【０００７】
また、放送局業務用としては、フィルムを１コマずつデータ化し、リアルタイム動作の画像処理回路で補間を行っているが、８ｍｍフィルム専用ではなく、３５ｍｍフィルムや１６ｍｍフィルムのビデオ化も可能な大がかりな大型の装置で且つ非常に高価なもので、特別注文でしか入手することができなく、現在、一般の人が８ｍｍフィルムをビデオ化するには、上記装置を保有する業者へ委託することから、非常に高価となり、このため、一般家庭用として、小型・簡単で且つ安価に、８ｍｍフィルムの画像を、直接的にテレビジョンの画面で観賞させたり、ビデオテープに録画させたり、コンピュータに取り込ませることが可能な装置が望まれていた。
【課題を解決するための手段】
【０００８】
この発明は、光源からの光により再生された８ｍｍフィルムの画像を映像データ化する撮像ユニットを設け、この撮像ユニットからの映像データを少なくとも２つのバッファへ交互に蓄えるバッファ部を設け、このバッファ部からの映像データをビデオ信号に変換する変換部を設け、この変換部で前記映像データをビデオ信号に変換する際に１秒間当たりの前記８ｍｍフィルムの再生コマ数とビデオ信号のフレーム数との差を自動的に補間するように前記変換部を制御する制御部を設けたことを特徴とする。
【発明の効果】
【０００９】
この発明の８ｍｍフィルムビデオ変換装置は、光源からの光により８ｍｍフィルムの画像を再生し、この再生された画像を映像データとし、この映像データを少なくとも２つのバッファへ交互に蓄え、これらのバッファからの画像の取り出し方で映像データを補間してビデオ信号に作ることにより、８ｍｍフィルムの撮影時と再生時との時系列変化をなくし、また、小型・簡単で且つ安価で、静かなビデオ信号出力を実現し、これにより、８ｍｍ映写機の老朽化等で再生できず、保管されたままになっている８ｍｍフィルムの画像を、家庭のテレビジョンの画面で手軽に観賞させたり、ビデオテープに録画させたり、コンピュータに取り込ませることによって新しい記録媒体に移し替えることができ、貴重な映像の記録を常に新鮮に保つことができる。
【発明を実施するための最良の形態】
【００１０】
この発明は、８ｍｍフィルムの撮影時と再生時との時系列変化をなくし、自然な映像を手軽にテレビジョンの画面で観賞等させる目的を、８ｍｍフィルムの再生コマ数とビデオ信号のフレーム数との差を自動的に補間することで実現するものである。
以下、図面に基づいてこの発明の実施例を詳細且つ具体的に説明する。
【実施例１】
【００１１】
図１〜図１２は、この発明の第１実施例を示すものである。
【００１２】
図１において、２は８ｍｍフィルムビデオ変換装置である。この８ｍｍフィルムビデオ変換装置２は、フィルム送り機構４と、光学系装置６と、変換制御装置８と、出力端子部１０とを備えている。
【００１３】
フィルム送り機構４は、８ｍｍフィルムＦ（以下「フィルムＦ」という）を巻き戻す巻き戻し用スプール１２と、この巻き戻し用スプール１２を回動する巻き戻し用モータ１４と、前記巻き戻し用スプール１２から送られてきたフィルムＦを巻き取る巻き取り用スプール１６と、この巻き取り用スプール１６を回動する巻き取り用モータ１８と、巻き戻し用スプール１２側でフィルムＦを導く巻き戻し側ガイドローラ２０と、巻き取り用スプール１６側でフィルムＦを導く第１、第２巻き取り側ガイドローラ２２、２４とから構成されている。
【００１４】
光学系装置６は、フィルムＦの一面に光を当てて画像を再生する光源としてのランプ２６と、この再生された画像を映像データ化する撮像ユニット２８とを備えている。ランプ２６は、フィルムＦの一面側に配設されている。撮像ユニット２８は、ランプ２６に対向してフィルムＦの他面側に配設されている。
【００１５】
変換制御装置８は、撮像ユニット２８からの映像データを少なくとも２つののバッファ（記録バッファ）Ａ、Ｂへ交互に蓄えるバッファ部３０と、このバッファ部３０からの映像データをビデオ信号に変換する変換部３２と、音声回路部３４と、前記変換部３２で映像データをビデオ信号に変換する際に１秒間当たりのフィルムＦの再生コマ数（１６コマ／秒、１８コマ／秒、２４コマ／秒）とビデオ信号のフレーム数（ＮＴＳＣで３０フレーム／秒、ＰＡＬ／ＳＥＣＡＭで２５フレーム／秒）との差を自動的に補間するように前記変換部３２を制御する制御部３６とを備えている。
【００１６】
出力端子部１０は、アナログビデオ出力端子３８−１、音声出力端子３８−２・３８−３、デジタルビデオ出力端子３８−４・３８−５を備えている。
【００１７】
巻き戻し側ガイドローラ２０と光学系装置６との間には、フィルムＦのパーフォレーション（横穴）に連動して回転してフィルム速度検出パルスを出力するフィルム速度検出用ローラ（パルス発生装置）４０が配設されている。
【００１８】
また、第１巻き取り側ガイドローラ２２と第２巻き取り側ガイドローラ２４との間には、音声回路部３４に連絡した音声再生用磁気ヘッド４２が配設されている。また、音声回路部３４には、マイクロフォン４４が連絡している。
【００１９】
巻き戻し用モータ１４と巻き取り用モータ１８と撮像ユニット２８とバッファ部３０と変換部３２と音声回路部３４とフィルム速度検出用ローラ４０とは、制御部３６に連絡している。また、変換部３２と音声回路部３４とは、出力端子部１０に連絡している。
【００２０】
８ｍｍフィルムビデオ変換装置２にあっては、図２〜図４に示す如く、フィルム送り機構４と光学系装置６と変換制御装置８と出力端子部１０とが筐状のケース４６に収納され、また、フィルム送り機構４と光学系装置６とがケース４６の前面側に引き出し・押し込み可能なトレー４８上に設置されている。トレー４８の前面部５０には、各種操作を行わせる各ボタンを備えた操作盤５２が設けられている。更に、ケース４６の後面部５４には、出力端子部１０が配置されている。
【００２１】
一般に、フィルムＦの画像をビデオ信号に変換する場合に、解像度は、水平方向で５００〜６００ドット、垂直方向で５２５本程度が必要である。
【００２２】
そして、フィルムＦをスキャンするには、撮像素子の種類により２つの方法が考えられる。一つの方法は、撮像素子として、スキャナ等で使用されているリニアセンサを使う方法であり、もう一つの方法は、撮像素子として、ビデオカメラで使用されているエリアセンサを使う方法である。
【００２３】
そこで、撮像ユニット２８においては、図５に示す如く、撮像素子として、スキャナ等で使用されているリニアセンサを用いた場合の例を示し、ランプ２６に対向して光学レンズ１０２とリニアセンサ１０４とが順次に配設され、これにより、ランプ２６からの光が、フィルムＦのコマを通して光学レンズ１０２でリニアセンサ１０４上に結像する。フィルムＦは、フィルム送り機構４により、この第１実施例では、一定速度（１／１６秒、１／１８秒、１／２４秒）で巻き取られているため、リニアセンサ１０４により約５２５回／１コマの速度で連続的にスキャンし、図１０に示すシャッタパルス（ｄ）で１コマずつフィルムＦの画像を分離し、映像データとしてバッファ部３０へ送る。
【００２４】
また、撮像ユニット２８においては、図６に示す如く、撮像素子として、ビデオカメラ用のエリアセンサを用いた場合の例を示し、ランプ２６に対向して第１ミラー１１２が配設されているとともに、この第１ミラー１１２と並列に第２ミラー１１４が配設され、この第２ミラー１１４と同一位置でシャッタ窓１１６Ｍを備えたロータリシャッタ１１６と光学レンズ１１８とエリアセンサ１２０とが順次に配設されている。
【００２５】
第１ミラー１１２は、ランプ２６の光により再生された画像を第２ミラー１１４側に反射させて送るものであり、第１ミラー角度調整機構１２２によりその角度変化が行われる。この第１ミラー角度調整機構１２２は、一対の第１一側、第２他側ローラ部１２４−１、１２４−２と、この他側ローラ部１２４−２側のスプリング１２６とを備えている。また、第２ミラー１１４は、ランプ２６の光により再生された画像を第１ミラー１１２から受けてエリアセンサ１２０側に反射させて送るものであり、第２ミラー角度調整機構１２８によりその角度変化が行われる。この第２ミラー角度調整機構１２８は、第２ローラ部１３０と、カム用モータ１３２に取り付けられたカム１３４とを備えている。更に、第１一側ローラ部１２４−１と第２ローラ部１３０とは、リンク部１３６によって連結されている。
【００２６】
この図６の撮像ユニット２８にあっては、一定速度で動いているフィルムＦを停止状態で撮影するために、連動した一組の第１ミラー１１２、第２ミラー１１４の角度を変化させることで、フィルムＦのコマを追いかけるように光軸を移動させるものであり、１コマの１／２を追いかける間にシャッタを切ってエリアセンサ１２０から映像データを取りだし、残りの１／２コマの間に第１、第２ミラー１１２、１１４を元の位置へ戻す。この第１、第２ミラー１１２、１１４は、図１０のシャッタパルス（ｄ）に同期してフィルムＦが１コマ分移動する間に１回転するカム用モータ１３２に取り付けられたカム１３４によって約１０度角度を変えるものである。また、この場合、光軸の移動距離が約２ｍｍで、１８コマ時の追尾時間が約１／３６秒である。フィルムＦの画像をエリアセンサ１２０に結像させるタイミングは、電子シャッタあるいはロータリシャッタ１１６のような、メカニカルシャッタで行われる。
【００２７】
また、撮像ユニット２８においては、図７に示す如く、ビデオカメラ用のエリアセンサを用いた場合の例において、図６の場合と違い、ランプ２６に対向してシャッタ窓１４２Ｍを備えたロータリシャッタ１４２と光学レンズ１４４とエリアセンサ１４６とが枠部１４８内で順次に配設されているとともに、枠部１４８の一側にカム用モータ１５０に取り付けたカム１５２が配設され、また、枠部１４８の他側にスプリング１５４が設けられている。
【００２８】
この図７の撮像ユニット２８にあっては、光学系全体をフィルムＦが１コマ分移動する間に１回転するカム用モータ１５０に取り付けられたカム１５２によってフィルムＦのコマを追いかけるように動かすもので、１コマの１／２を追いかける間にシャッタを切ってエリアセンサ１４６から映像データを取り出し、残りの１／２コマの間に光学系全体を元の位置へ戻す。フィルムＦの画像をエリアセンサ１４６に結像させるタイミングは、電子シャッタあるいはロータリシャッタ１４２のような、メカニカルシャッタで行われる。
【００２９】
更に、撮像ユニット２８においては、図８に示す如く、ビデオカメラ用のエリアセンサを用いた場合の例において、ランプ２６に対向して、例えば、回転軸１６２に対して角度４５度の２つの反射面１６４−１、１６４−２を備えたミラー又はプリズムからなる反射体１６６が配設されているとともに、前記反射面１６４−１、１６４−２で反射した画像を受けるように、光学レンズ１６８とシャッタ窓１７０Ｍを備えたロータリシャッタ１７０とエリアセンサ１７２とが順次に配設されている。
【００３０】
この図８の撮像ユニット２８にあっては、反射体１６６を回転させて２つの反射面１６４−１、１６４−２によりフィルムＦのコマを追尾し、これにより、一つの反射面で１コマを追尾し、エリアセンサ１７２から映像データを取り出す。この場合も、フィルムＦの画像をエリアセンサ１７２に結像させるタイミングは、電子シャッタあるいはロータリシャッタ１７０のような、メカニカルシャッタで行われる。この場合、反射体１６６の反射面の数を増やすことにより、反射体１６６の回転数を減少させることが可能である。
【００３１】
更にまた、撮像ユニット２８においては、図９に示す如く、ビデオカメラ用のエリアセンサを用いた場合の例において、光源として、ストロボ１８２を用い、このストロボ１８２に対向して光学レンズ１８４とエリアセンサ１８６とが順次に配設されている。ストロボ１８２は、短い発光時間（１／１００００秒以下）で、動いているフィルムＦを、あたかも止まっているかのように、見せるものである。
【００３２】
この図９の撮像ユニット２８にあっては、フィルムＦの１コマの画像がエリアセンサ１８６の所定の位置に到達した時点でストロボ１８２を発光させ、このストロボ１８２の発光タイミングは、図１０のシャッタパルス（ｄ）に同期し、フィルムＦの画像は、ストロボ１８２が発光する度毎に、エリアセンサ１８６から取り出され、映像データとしてバッファ部３０へ送られる。
【００３３】
この他、一定速度で動いているフィルムＦから静止画を取り出す方法としては、家庭用ビデオカメラやデジタルカメラで実用化されている光学式または電子式の手ぶれ補正機能の応用も有効である。
【００３４】
次に、この第１実施例の作用について説明する。
【００３５】
８ｍｍフィルムビデオ変換装置２において、巻き取り用スプール１６のフィルム巻き取り用モータ１８は、フィルム速度検出用ローラ４０が発生するフィルム速度検出パルス（図１０の（ｅ）で示す）（フィルムＦの１コマに１回）が、指定された再生速度（図１０のシャッタパルス（ｄ）で示す）と一致するように制御された図１０の駆動パルス（ｂ）によって回転する。
【００３６】
また、巻き戻し用スプール１２の巻き戻し用モータ１４は、フィルムＦの再生が終わってフィルムＦを巻き取るときに必要なもので、再生速度の１０倍程度で回転するようなパルスで駆動する。
【００３７】
フィルムＦの再生を開始すると、制御部３６から巻き取り用スプール１６のフィルム巻き取り用モータ１８に、図１０の駆動パルス（ｂ）が送られ、このフィルム巻き取り用モータ１８の回転を開始する。
【００３８】
その後は、フィルム速度検出用ローラ４０が発生するフィルム速度検出パルス（ｅ）でフィルム巻き取り用モータ１８が制御され、フィルムＦを指定された再生速度に保つ。
【００３９】
一方、ビデオ信号は、フィルムＦが動き始めると同時に、フィルム速度検出用ローラ４０が発生するフィルム速度検出パルス（ｅ）をトリガーに、制御部３６で基本パルス（ａ）を発生し、この制御部３６は、撮像ユニット２８、バッファ部３０、変換部３２の制御を開始する（図１０の基本パルス（ａ）は、撮像素子（リニアセンサ又はエリアセンサ）を制御するＬＳＩの仕様に基づく）。
【００４０】
フィルムＦの画像は、光源２６からの光で再生され、撮像ユニット２８内に組み込まれた光学レンズで集光され、撮像素子（リニアセンサ又はエリアセンサ）に投影されるようになっており、図１０のシャッタパルス（ｄ）を基準にしてフィルムＦを１コマずつスキャンして、その画像を映像データとし、この映像データをバッファ部３０へ送る。
【００４１】
つまり、フィルムＦの画像を再生すると、該フィルムＦを一定速度（毎秒１６コマ、１８コマ、２４コマ相当）で送りながら、その画像を撮像素子（リニアセンサ又はエリアセンサ）で映像データ化し、用意されたバッファ部３０の２つのバッファＡ、Ｂに、図１０のシャッタパルス（ｄ）をトリガーにして１コマずつ交互に書き込む。
【００４２】
このシャッタパルス（ｄ）は、フィルムＦの映写速度（毎秒１６コマ、１８コマ、２４コマ）に準ずるもので、制御部３６で生成される。
【００４３】
バッファ部３０に書き込まれた映像データは、ＮＴＳＣの場合、図１０の１／６０秒のフィールドタイミングパルス（ｆ）をトリガーにして読み出されるが、図１０のリードパルス（ｈ）をトリガーに読み出す２つのバッファＡ、Ｂを切り換えることで、２つのバッファＡ、Ｂから読み出されるフィールドデータの数を調整し、フィルムＦの映写速度に応じてフィールドデータを補間する。
【００４４】
例えば、図１１に示す如く、毎秒１８コマで撮影されたフィルムＦをＮＴＳＣに変換する場合に、２つのバッファＡ、Ｂからは交互に４−３−３−４−３−３−４−３−３・・・・・の順にフィールドデータ信号が読み出され、このようにして読み出されたフィールドデータ信号を変換部３２に送り、ビデオ信号を作り出す。つまり、図１１において、例えば、連続する３つのバッファ（Ａ→Ｂ→Ａ）の映像データから、フィールドタイミングパルス（ｆ）の４−３−３のタイミングで、５つのビデオ信号を作ることにより、１秒間に、１８の再生コマ数から３０のフレーム数を作り出す。
【００４５】
また、リードパルス（ｈ）は、図１０の基本パルス（ａ）から分周された１秒間隔に発生する同期パルス（ｃ）とフィルムＦの送り速度を決定するシャッタパルス（ｄ）、６０分の１秒のフィールドタイミングパルス（ｆ）を利用して作り出す。
【００４６】
上述のデータの補間方法を、以下に詳述する。
【００４７】
即ち、フィルムＦの画像を再生すると、その画像が撮像素子（リニアセンサ又はエリアセンサ）で映像データ化され、用意された２つのバッファＡ、Ｂに、図１０のシャッタパルス（ｄ）をトリガーにして１コマずつ交互に書き込まれる。このシャッタパルス（ｄ）は、フィルムＦの再生速度を決定するもので、制御部３６で生成される。
【００４８】
そして、２つのバッファＡ、Ｂに書き込まれた映像データは、ＮＴＳＣの場合、図１０の１／６０秒のフィールドタイミングパルス（ｆ）をトリガーにして２つのバッファＡ、Ｂから読み出されるが、２つのバッファＡ、Ｂのどちらから読み出すかは、シャッタパルス（ｄ）とフィールドタイミングパルス（ｆ）から生成されるリードパルス（ｈ）をトリガーに切り換えられる。
【００４９】
その後、フィルムＦの画像の再生を開始すると、フィールドタイミングパルス（ｆ）に同期して、２つのバッファＡ、Ｂから映像データの読み出しを開始するが、シャッタパルス（ｄ）が認識されると、読み出す２つのバッファＡ、Ｂを切り換える。ただし、その時点で、読み出し中の画像があるときは、読み出しが終わるまで待ち、読み出しが終わっていれば、直ぐに読み出す２つのバッファＡ、Ｂを切り換える。この動作が繰り返されるタイミングは、リードパルス（ｈ）となる。
【００５０】
そして、フィールドタイミングパルス（ｆ）とシャッタパルス（ｄ）とを利用することにより、毎秒６０コマから毎秒１コマ以下の任意のフィルムＦの再生速度に対して、常に、自動的かつ最適な補間が可能となる。
【００５１】
例として、図１１には、１秒間に１８コマ送るフィルムＦのリードパルス（ｈ）について説明する。
【００５２】
フィルムＦの画像の再生を開始すると、図１０の基本パルス（ａ）から同期パルス（ｃ）、シャッタパルス（ｄ）、フィールドタイミングパルス（ｆ）が生成され、このフィールドタイミングパルス（ｆ）で２つのバッファＡ、Ｂから画像の映像データの読み出しを開始するが、シャッタパルス（ｄ）が認識されると、その時点で読み出し中の画像の映像データは、最後まで読み出した後、読み出す２つのバッファＡ、Ｂを切り換え、この読み出しが終わっていれば、直ぐに読み出す２つのバッファＡ、Ｂを切り換える。このタイミングが、リードパルス（ｈ）となる。
【００５３】
そこで、図１１に示す如く、フィルムＦの再生速度が毎秒１８コマの補間タイミングにおいては、フィールドタイミングパルス（ｆ）の４、７、１０、１４、１７、２０、２４、２７、３０、３４、３７、４０、４４、４７、５０、５４、５７、６０番目がリードパルス（ｈ）となり、毎秒１８コマの画像を６０フィールドに補間して、ビデオ信号の生成を可能とする。
【００５４】
また、図１２に示す如く、フィルムＦのの再生速度が毎秒２４コマの補間タイミングにおいては、フィールドタイミングパルス（ｆ）の２、５、７、１０、１２、１５、１７、２０、２２、２５、２７、３０、３２、３５、３７、４０、４２、４５、４７、５０、５２、５５、５７、６０番目がリードパルス（ｈ）となり、毎秒２４コマの画像を６０フィールドに補間して、ビデオ信号の生成を可能とする。
【００５５】
そして、同期パルス（ｃ）毎にタイミングで読み出された映像データは、変換部３２へ送られ、フィールドタイミングパルス（ｆ）に同期してビデオ信号への変換が行われ、ＮＴＳＣの場合に、毎秒３０フレームのアナログビデオ信号又はデジタルビデオ信号を作り出す。この作り出されたビデオ信号は、出力端子部１０に接続されたテレビジョンやビデオ機器、コンピュータ等へ送られる。
【００５６】
よって、この実施例においては、映像データをビデオ信号に変換する際に１秒間当たりのフィルムＦの再生コマ数とビデオ信号のフレーム数との差を自動的に補間することにより、フィルムＦの映写のコマ数とビデオ信号のフレーム数との差を、２つのバッファＡ、Ｂを使うことで補間し、フィルムＦの映像をアナログビデオ信号又はデジタルビデオ信号に変換するものである。
【００５７】
この結果、８ｍｍフィルムビデオ変換装置２においては、光源からの光によりィルムＦの画像を再生し、この再生された画像を映像データとし、この映像データを少なくとも２つのバッファＡ、Ｂへ交互に蓄え、この２つのバッファＡ、Ｂの映像データを補間してビデオ信号に作ることにより、撮影時と再生時との時系列変化をなくするとともに、静かなビデオ信号出力を実現することができる。また、撮像ユニット２８では既存の撮像素子（リニアセンサ又はエリアセンサ）を用いるとともに、バッファ部３０では２つのバッファＡ、Ｂを用いているので、図２〜図４に示すような構造とし、一般の家庭でも購入して使用することができるように、小型・簡単で且つ安価にすることができる。これにより、８ｍｍ映写機の老朽化等で再生できず、保管されたままになっているフィルムＦの画像を、家庭のテレビジョンの画面で手軽に観賞させたり、ビデオテープに録画させたり、コンピュータ等に取り込ませることによって新しい記録媒体（ＤＶＤ等）に移し替えることができ、よって、貴重な映像の記録を常に新鮮に保つことができる。
【００５８】
また、市販のスキャナに使われているリニアセンサの使用、あるいは、例えば、図６、図７に示すように、市販のビデオカメラ用のエリアセンサと一組のミラーを使って光軸をフィルムＦの動きに追従させる機構を用い、一定速度（毎秒１６コマ、１８コマ、２４コマ相当）での映写を可能とし、使い勝手を向上することができる。
【００５９】
更に、音声回路部３４及び音声再生用磁気ヘッド４２により、音声が同時に記録されたフィルムＦの場合も、該フィルムＦが一定速度で送られるため、特にフィルムＦの送り速度を安定させる装置の必要もなく、映像と音声とは簡単に同期がとれ、オーディオ回路から音声信号をアナログ信号として出力したり、デジタルビデオ信号に合成できる。また、オーディオ回路にミキシングやメモリの機能を付加することで、ビデオ再生中に、会話を録音したり、ナレーションを加えたり、疑似的な映写機の音を出すことも可能となり、付加的な効果も期待することができる。
【００６０】
更にまた、撮像ユニット２８において、撮像素子として、エリアセンサを用いる場合に、光軸をフィルムＦの動きに追従させる構成にしたことにより、一定速度のフィルムＦの画像を確実に捕らえることが可能となる。
【実施例２】
【００６１】
図１３〜図１８は、この発明の第２実施例を示すものである。
【００６２】
この第２実施例においては、上述の第１実施例と同一機能を果たす箇所には同一符号を付して説明する。
【００６３】
この第２実施例の特徴とするところは、フィルムＦをコマ送りする点にある。
【００６４】
即ち、８ｍｍフィルムビデオ変換装置２において、フィルム送り機構４には、巻き戻し用スプール１２と光学系装置６との間に、第１コマ送り部２０２が配設され、また、光学系装置６と巻き取り用スプール１６との間に、光学系装置６側から順次に、第２コマ送り部２０４と第１ガイドローラ２０６と第２ガイドローラ２０８とが配設され、更に、第１ガイドローラ２０６と第２ガイドローラ２０８との間に音声再生用磁気ヘッド４２が配設され、また、第２ガイドローラ２０８に対向してフィルム速度検出用ローラ４０が配設されている。
【００６５】
第１コマ送り部２０２は、光学系装置６側の第１ステッピングモータ２１０と、コマ送りによるフィルムＦの脈動を緩衝する巻き戻し用スプール１２側の第１テンションローラ２１２とからなる。また、第２コマ送り部２０４は、光学系装置６側の第２ステッピングモータ２１４と、コマ送りによるフィルムＦの脈動を緩衝する巻き取り用スプール１６側の第２テンションローラ２１６とからなる。第１ステッピングモータ２１０と第２ステッピングモータ２１４とは、制御部３６に連絡し、該制御部３６によって制御される。
【００６６】
フィルムＦをスキャンするには、第１実施例と同様に、撮像素子の種類により２つの方法が考えられる。一つの方法は、撮像素子として、スキャナで使用されているリニアセンサを使う方法であり、もう一つの方法は、撮像素子として、ビデオカメラで使用されているエリアセンサを使う方法である。
【００６７】
スキャナで使用されているリニアセンサを用いた場合に、ランプ２６からの光は、フィルムＦを通して光学レンズでリニアセンサ上に結像する。フィルムＦは、コマ送りされて静止状態になっているため、フィルムＦが静止状態の間に、該フィルムＦの画像を、スキャンし、映像データとしてバッファ部３０へ送る。
【００６８】
撮像ユニット２８においては、図１４に示す如く、スキャナで使用されているリニアセンサを用いた場合の例であり、図６と同様の構成であり、ランプ２６に対向して第１ミラー２２２が配設されているとともに、この第１ミラー２２２と並列に第２ミラー２２４が配設され、この第２ミラー２２４と同一位置で光学レンズ２２６とリニアセンサ２２８とが順次に配設されている。
【００６９】
第１ミラー２２２は、ランプ２６の光により再生された画像を第２ミラー２２４側に反射させて送るものであり、第１ミラー角度調整機構２３０によりその角度変化が行われる。この第１ミラー角度調整機構２３０は、一対の第１一側、第２他側ローラ部２３２−１、２３２−２と、この他側ローラ部２３２−２側のスプリング２３４とを備えている。また、第２ミラー２２４は、ランプ２６の光により再生された画像を第１ミラー２２２から受けてリニアセンサ２２８側に反射させて送るものであり、第２ミラー角度調整機構２３６によりその角度変化が行われる。この第２ミラー角度調整機構２３６は、第２ローラ部２３８と、カム用モータ２４０に取り付けられたカム２４２とを備えている。更に、第１一側ローラ部２３２−１と第２ローラ部２３８とは、リンク部２４４によって連結されている。
【００７０】
この図１４の撮像ユニット２８においては、連動した一組の第１、第２ミラー２２２、２２４の角度を変化させることで、光軸を移動させて１コマの画像をスキャンし、リニアセンサ２２８から映像データを取り出す。第１、第２ミラー２２２、２２４は、図１０のシャッタパルス（ｄ）に同期してフィルムＦが１コマ送られ、次のコマが送られる間に１回転するカム用モータ２４０に取り付けられたカム２４２により、フィルムＦが静止している間に、ミラー角度を約２０度だけ変えて１コマの画像をスキャンする。この場合、光軸移動距離が、約４ｍｍである。そして、フィルムＦが次のコマに送られる間に、元の位置へ戻る。
【００７１】
また、撮像ユニット２８においては、図１５に示す如く、スキャナで使用されているリニアセンサを用いた場合の例であり、図７と同様の構成であり、ランプ２６に対向して光学レンズ２５２とリニアセンサ２５４とが枠部２５６内で順次に配設されているとともに、枠部２５６の一側にカム用モータ２５８に取り付けたカム２６０が配設され、また、枠部２５６の他側にスプリング２６２が設けられている。
【００７２】
この図１５の撮像ユニット２８においては、フィルムＦが静止している間に、光学系全体をフィルムＦが１コマ分移動する間に１回転するカム用モータ２５８に取り付けられたカム２６０により、１コマ分移動して画像をスキャンし、リニアセンサ２５４から画像データを取り出す。そして、フィルムＦが次のコマに送られる間に、光学系全体を元の位置へ戻す。
【００７３】
更に、撮像ユニット２８においては、図１６に示す如く、スキャナで使用されているリニアセンサを用いた場合の例であり、図８と同様の構成であり、ランプ２６に対向して、例えば、回転軸２７２に対して角度４５度の２つの反射面２７４−１、２７４−２を備えたミラー又はプリズムからなる反射体２７６が配設されているとともに、前記反射面２７４−１、２７４−２で反射した画像を受けるように、光学レンズ２７８とリニアセンサ２８０とが順次に配設されている。
【００７４】
この図１６の撮像ユニット２８においては、反射体２７６を回転させてフィルムＦの画像をスキャンし、リニアセンサ２８０から映像データを取り出す。１つの反射面で１コマをスキャンし、次の反射面へ移る間にコマ送りする。
【００７５】
更にまた、撮像ユニット２８においては、図１７に示す如く、ビデオカメラで使用されているエリアセンサを用いた場合の例であり、図５と同様な構成で、ランプ２６に対向してシャッタ窓２８２Ｍを備えたロータリシャッタ２８２と光学レンズ２８４とエリアセンサ２８６とが順次に配設され、これにより、フィルムＦが静止状態の間に、光学系を経てエリアセンサ２８６に結像した画像をシャッタパルス（ｄ）に同期してバッファ部３０へ送る。この場合も、フィルムＦの画像をエリアセンサ２８６に結像させるタイミングは、電子シャッタあるいはロータリシャッタ２８２のようなメカニカルシャッタである。
【００７６】
また、撮像ユニット２８においては、図１８に示す如く、ビデオカメラで使用されているエリアセンサを用いた場合の例であり、図９と同様な構成で、光源として、ストロボ２９２を用い、このストロボ２９２に対向して光学レンズ２９４とエリアセンサ２９６とが順次に配設され、シャッタパルス（ｄ）に同期してストロボ２９２を発光させ、映像データをエリアセンサ２９６から取り出してバッファ部３０へ送る方法である。
【００７７】
次に、この第２実施例の作用を説明する。
【００７８】
巻き取り用スプール１６の巻き取り用モータ１８は、フィルム速度検出用のローラ４０が発生するフィルム速度検出パルス（フィルムＦの１コマに１回）が、指定された再生速度（図１０のシャッタパルス（ｄ））と一致するように制御された図１０の駆動パルス（ｂ）によって回転する。
【００７９】
巻き戻し用スプール１２の巻き戻し用モータ１４は、フィルムＦの再生が終わって該フィルムＦを巻き取るときに必要なもので、再生速度の１０倍程度で回転するようなパルスで駆動する。
【００８０】
フィルムＦの再生を開始すると、制御部３６から巻き取り用スプール１６の巻き取り用モータ１８に図１０の駆動パルス（ｂ）が送られると同時に、第１、第２コマ送り部２０２、２０４にシャッタパルス（ｄ）が送られ、フィルムＦのコマ送りを開始する。
【００８１】
巻き取り用スプール１６の巻き取り用モータ１８は、フィルム速度検出用ローラ４０が発生するフィルム速度検出パルス（ｅ）で制御され、フィルムＦをコマ送り速度に対応した速度で巻き取る。
【００８２】
つまり、フィルムＦは、第１、第２コマ送り部２０２、２０４の間では、設定された再生速度でコマ送りされるが、その後方の第１、第２ガイドローラ２０６、２０８以降は、音声再生のために、再生速度に応じた一定速度で送られる。
【００８３】
一方、ビデオ信号は、フィルムＦが動き始めると同時に、フィルム速度検出用ローラ４０が発生するフィルム速度検出パルス（ｅ）をトリガーに制御部３６で基本パルス（ａ）を発生し、この制御部３６は、撮像ユニット２８、バッファ部３０、変換部３２の制御を開始する（基本パルス（ａ）は、撮像素子を制御するＬＳＩの仕様に基づく）。
【００８４】
フィルムＦの画像は、光源２６からの光で再生され、撮像ユニット２８内に組み込まれた光学レンズで集光され、撮像素子に投影されるようになっており、図１０のシャッタパルス（ｄ）を基準にしてフィルムＦを１コマずつスキャンしてデータをバッファ部３０へ送る。
【００８５】
また、上述のデータの補間方法は、第１実施例と同様に行われる。
【００８６】
即ち、フィルムＦの画像を再生すると、その画像が撮像素子（リニアセンサ又はエリアセンサ）で映像データ化され、用意されたバッファ部３０の２つのバッファＡ、Ｂに、図１０のシャッタパルス（ｄ）をトリガーにして１コマずつ交互に書き込まれる。このシャッタパルス（ｄ）は、フィルムＦの再生速度を決定するもので、制御部３６で生成される。
【００８７】
そして、バッファＡ、Ｂに書き込まれた映像データは、ＮＴＳＣの場合、図１０の１／６０秒のフィールドタイミングパルス（ｆ）をトリガーにしてバッファＡ、Ｂから読み出されるが、２つのバッファＡ、Ｂのどちらから読み出すかは、シャッタパルス（ｄ）とフィールドタイミングパルス（ｆ）から生成されるリードパルス（ｈ）をトリガーに切り換えられる。
【００８８】
その後、フィルムＦの画像の再生を開始すると、フィールドタイミングパルス（ｆ）に同期して、２つのバッファＡ、Ｂから映像データの読み出しを開始するが、シャッタパルス（ｄ）が認識されると、読み出す２つのバッファＡ、Ｂを切り換える。ただし、その時点で、読み出し中の画像があるときは、読み出しが終わるまで待ち、読み出しが終わっていれば、直ぐに読み出す２つのバッファＡ、Ｂを切り換える。この動作が繰り返されるタイミングは、リードパルス（ｈ）となる。
【００８９】
そして、フィールドタイミングパルス（ｆ）とシャッタパルス（ｄ）とを利用することにより、毎秒６０コマから毎秒１コマ以下の任意のフィルムＦの再生速度に対して、常に、自動的かつ最適な補間が可能となる。
【００９０】
この結果、この第２実施例においては、第１実施例と同様な効果を奏するとともに、フィルムＦをコマ送りする場合にでも、フィルムＦの画像をビデオ信号に容易に且つ確実に変換することができる。
【００９１】
なお、この発明においては、バッファ部において、２つのバッファを設けたが、２つ以上の複数のバッファを設け、より細かな補間制御を行うことも可能である。
【産業上の利用可能性】
【００９２】
８ｍｍフィルムのコマ数とビデオ信号のフレーム数との差を自動的に補間することは、家庭用８ｍｍフィルムの画像変換のみならず、すべての種類のムービーフィルムをビデオ信号に変換するテレシネ装置にも適用することができる。また、変換部を変更することで、ＰＡＬ、ＳＥＣＡＭ方式、地上波デジタル等の各種規格にも適用させることができる。
【図面の簡単な説明】
【００９３】
【図１】第１実施例において８ｍｍフィルムを一定速度で送る８ｍｍフィルムビデオ変換装置のシステム構成図である。
【図２】第１実施例において８ｍｍフィルムビデオ変換装置の前面からの斜視図である。
【図３】第１実施例においてトレーを引き出した状態の８ｍｍフィルムビデオ変換装置の前面からの斜視図である。
【図４】第１実施例において８ｍｍフィルムビデオ変換装置の後面からの斜視図である。
【図５】第１実施例において撮像素子としてリニアセンサを使った撮像ユニットの構成図である。
【図６】第１実施例において撮像素子としてエリアセンサを使った第１の撮像ユニットの構成図である。
【図７】第１実施例において撮像素子としてエリアセンサを使った第２の撮像ユニットの構成図である。
【図８】第１実施例において撮像素子としてエリアセンサを使った第３の撮像ユニットの構成図である。
【図９】第１実施例において撮像素子としてエリアセンサを使った第４の撮像ユニットの構成図である。
【図１０】第１実施例において制御用パルスのタイムチャート（再生速度毎秒１８コマ）である。
【図１１】第１実施例において再生速度毎秒１８コマの補間のタイムチャートである。
【図１２】第１実施例において再生速度毎秒２４コマの補間のタイムチャートである。
【図１３】第２実施例において８ｍｍフィルムをコマ送りする８ｍｍフィルムビデオ変換装置のシステム構成図である。
【図１４】第２実施例においてリニアセンサを使った第１の撮像ユニットの構成図である。
【図１５】第２実施例においてリニアセンサを使った第２の撮像ユニットの構成図である。
【図１６】第２実施例においてリニアセンサを使った第３の撮像ユニットの構成図である。
【図１７】第２実施例においてエリアセンサを使った第１の撮像ユニットの構成図である。
【図１８】第２実施例においてエリアセンサを使った第２の撮像ユニットの構成図である。
【符号の説明】
【００９４】
２  ８ｍｍフィルムビデオ変換装置
４  フィルム送り機構
６  光学系装置
８  変換制御装置
１０  出力端子部
１２  巻き戻し用スプール
１４  巻き戻し用モータ
１６  巻き取り用スプール
１８  巻き取り用モータ
２６  ランプ
２８  撮像ユニット
３０  バッファ部
３２  変換部
３６  制御部
４０  フィルム速度検出用ローラ
【図１】
2005252418.tif 000003
【図２】
2005252418.tif 000004
【図３】
2005252418.tif 000005
【図４】
2005252418.tif 000006
【図５】
2005252418.tif 000007
【図６】
2005252418.tif 000008
【図７】
2005252418.tif 000009
【図８】
2005252418.tif 000010
【図９】
2005252418.tif 000011
【図１０】
2005252418.tif 000012
【図１１】
2005252418.tif 000013
【図１２】
2005252418.tif 000014
【図１３】
2005252418.tif 000015
【図１４】
2005252418.tif 000016
【図１５】
2005252418.tif 000017
【図１６】
2005252418.tif 000018
【図１７】
2005252418.tif 000019
【図１８】
2005252418.tif 000020